(57)【要約】【課題】予備苗収容装置および手摺りを好適に備える。【解決手段】運転座席１０よりも外側において、車体部分から上方向きに立設された手摺り３０と、手摺り３０の前方に設けられた予備苗収容装置５０と、を備え、予備苗収容装置５０は、複数の予備苗載置台５１，５２，５３を備え、複数の予備苗載置台５１，５２，５３が走行車体４の上下方向に並ぶ第１状態と、複数の予備苗載置台５１，５２，５３が走行車体４の前後方向に並ぶ第２状態とに切り換え可能であり、予備苗収容装置５０の第２状態において、複数の予備苗載置台５１，５２，５３のうちの後から１番目の予備苗載置台５３の後端側部５３ｒが、側面視で、運転座席１０の前端部よりも後方に位置する。【選択図】図１
2019150074.tif 000002
【特許請求の範囲】
【請求項１】
運転座席を有した走行車体と、
前記走行車体の後部に昇降操作可能に連結された苗植付装置と、
前記走行車体の幅方向における前記運転座席よりも外側において、車体部分から上方向きに立設された手摺りと、
前記手摺りの前方に設けられた予備苗収容装置と、を備え、
前記予備苗収容装置は、複数の予備苗載置台を備え、複数の前記予備苗載置台が前記走行車体の上下方向に並ぶ第１状態と、複数の前記予備苗載置台が前記走行車体の前後方向に並ぶ第２状態とに切り換え可能であり、
前記予備苗収容装置の前記第２状態において、複数の前記予備苗載置台のうちの後から１番目の前記予備苗載置台の後端側部が、側面視で、前記運転座席の前端部よりも後方に位置する乗用型田植機。
【請求項２】
前記予備苗収容装置の前記第２状態において、前記１番目の前記予備苗載置台が、側面視で、前記運転座席と重複している請求項１に記載の乗用型田植機。
【請求項３】
前記予備苗収容装置の前記第２状態において、前記１番目の前記予備苗載置台の後端側部が、側面視で、前記運転座席よりも後方に位置する請求項１又は２に記載の乗用型田植機。
【請求項４】
側面視で、前記手摺りの上方向きに立設された部分が前記運転座席の後方に位置し、且つ、前記予備苗収容装置の前記第２状態において、前記１番目の前記予備苗載置台の後端側部が、前記手摺りの上方向きに立設された部分の近傍に位置する請求項１〜３のいずれか１項に記載の乗用型田植機。
【請求項５】
前記１番目の前記予備苗載置台は、予備苗載置台本体と、前記予備苗載置台本体から後方に張り出される使用姿勢と、前記予備苗載置台本体の内方側に格納される格納姿勢とに亘って姿勢変更可能に前記予備苗載置台本体に支持された延長載置台とを備え、
前記１番目の前記予備苗載置台の前記後端側部が前記使用姿勢の延長載置台によって形成される請求項１〜４のいずれか１項に記載の乗用型田植機。
【請求項６】
前記予備苗収容装置の前記第２状態において、前記１番目の前記予備苗載置台の前記後端側部が運転部の乗降口に入り込む請求項１〜５のいずれか１項に記載の乗用型田植機。
【発明の詳細な説明】
【技術分野】
【０００１】
本発明は、搭乗型の運転部を有した走行車体と、前記走行車体の後部に昇降操作可能に連結された苗植付装置と、前記運転部の横側方において、車体部分から上方向きに立設された手摺りと、前記手摺りの前方に設けられた予備苗収容装置と、を備えた乗用型田植機に関する。
【背景技術】
【０００２】
上記した乗用型田植機において、例えば特許文献１に示されるように、搭乗運転部、横手摺り部（手摺りに相当）、予備苗載置装置（予備苗収容装置に相当）が備えられ、予備苗載置装置は、前可動フレームの予備苗台及び後可動フレームの予備苗台が固定フレームの予備苗台の上方に折り重なる折り畳み状態と、前可動フレームの予備苗台が固定フレームの前側に展開し、後可動フレームの予備苗台が固定フレームの後側に展開した展開状態とに切り換え可能であるものがある。
【先行技術文献】
【特許文献】
【０００３】
【特許文献１】特開２０１３−７４８４１号公報
【発明の概要】
【発明が解決しようとする課題】
【０００４】
上記した乗用型田植機において、予備苗収容装置に複数の予備苗載置台を備え、複数の予備苗載置台が走行車体の上下方向に並ぶ第１状態と、複数の予備苗載置台が走行車体の前後方向に並ぶ第２状態とに予備苗収容装置を切換え可能に構成することにより、予備苗収容装置を第１状態に切換えて、複数の予備苗載台を上下複数段に並べて格納するか、あるいは、複数の予備苗を上下複数段に並べて収容することが可能になり、予備苗収容装置を第２状態に切換えて、複数枚の予備苗を走行車体の前後方向に並べて収容することが可能になる。
【０００５】
従来の技術を採用することにより、予備苗収容装置の第１状態と第２状態との切り換えを可能にした場合、手摺りの持ち部分となる上端部の車体前後方向長さを長くするほど、予備苗収容装置がより車体前方側に位置することになる。つまり、予備苗収容装置を第２状態に切換えた際、後から１番目の予備苗載置台が手摺りに当たらないようにする必要がある。
【０００６】
本発明は、予備苗収容装置および手摺りを好適に備える乗用型田植機を提供する。
【課題を解決するための手段】
【０００７】
本発明による乗用型田植機は、
搭乗型の運転部を有した走行車体と、
前記走行車体の後部に昇降操作可能に連結された苗植付装置と、
前記運転部の横側方において、車体部分から上方向きに立設された手摺りと、
前記手摺りの前方に設けられた予備苗収容装置と、を備え、
前記予備苗収容装置は、複数の予備苗載置台を備え、複数の前記予備苗載置台が前記走行車体の上下方向に並ぶ第１状態と、複数の前記予備苗載置台が前記走行車体の前後方向に並ぶ第２状態とに切り換え可能であり、
前記手摺りのうちの上端部の下方に空きスペースが設けられ、
前記予備苗収容装置の前記第２状態において、複数の前記予備苗載置台のうちの後から１番目の前記予備苗載置台の後端側部が前記空きスペースに入り込み、平面視で、前記上端部と前記後端側部とが重複する乗用型田植機。
【０００８】
本構成によると、予備苗収容装置を第２状態に切換えると、後から１番目の予備苗載置台の後端側部が空きスペースに入り込むので、手摺りの上端部の車体前後方向長さを長くしても、予備苗収容装置を車体前方側に寄せなくても、寄せたとしても、従来構造の場合ほど大幅に寄せなくても、後から１番目の予備苗載置台における後端側部の空きスペースへの入り込みによって、予備苗載置台と手摺りとの当たりを回避できる。
【０００９】
従って、予備苗収容装置を車体前方側に寄せずに、あるいはあまり寄せずに、手摺りの上端部の車体前後方向長さを長くでき、予備苗収容装置を第２状態に切換えても、予備苗載置台が走行車体から前方にあまり長く突出しないなどによって走行車体の操縦をし易いものにしつつ、手摺りを使い易くできる。
【００１０】
本発明においては、前記１番目の予備苗載置台は、予備苗載置台本体と、前記予備苗載置台本体から後方に張り出される使用姿勢と、前記予備苗載置台本体の内方側に格納される格納姿勢とに亘って姿勢変更可能に前記予備苗載置台本体に支持された延長載置台とを備え、前記１番目の予備苗載置台の前記後端側部が前記使用姿勢の延長載置台によって形成されると好適である。
【００１１】
本構成によれば、予備苗収容装置を第２状態に切換えた場合、延長載置台を使用姿勢にすることにより、後から１番目の予備苗載置台の載置面積を広くでき、この予備苗載置台に予備苗を出し入れし易くなる。このように、予備苗載置台の載置面積を広くできるものでありながら、予備苗収容装置を走行車体の前方側に寄せずに、あるいはあまり寄せずに、手摺りの上端部の車体前後方向長さを長くできる。
【００１２】
本発明においては、前記予備苗収容装置の前記第２状態において、前記１番目の予備苗載置台の前記後端側部が前記運転部の乗降口に入り込むと好適である。
【００１３】
本構成によれば、予備苗収容装置を第２状態に切り換えると、後から１番目の予備苗載置台の後端側部を乗降口の閉じ部材に活用した簡単な構造で、乗降口を閉じたり、狭くしたりできる。
【００１４】
本発明においては、前記手摺りの前記上端部は、車体部分に固定された固定部と、前記固定部から前方に延出されて、前端側部が前記運転部の乗降口を閉じる閉じ状態と、前記乗降口を開く開き状態とに切り換え可能な可動部とを備え、前記閉じ状態の前記可動部の下方に前記空きスペースが形成されると好適である。
【００１５】
本構成によると、可動部を閉じ状態にすることにより、可動部を乗降口の閉じ部材に活用した簡単な構造で、乗降口を閉じたり、狭くしたりできる。
【００１６】
本発明においては、前記可動部は、前記閉じ状態と前記開き状態とに亘って揺動切換え可能に前記固定部に支持されていると好適である。
【００１７】
本構成によれば、可動部を揺動操作するだけで操作簡単に可動部を閉じ状態と開き状態とに切り換えることができる。
【００１８】
本発明においては、前記可動部の前記閉じ状態において、前記可動部の前端側部が前記予備苗収容装置の支柱に支持されると好適である。
【００１９】
本構成によれば、予備苗収容装置の支柱を可動部の前端側部を支持する部材に活用した簡単な構造で可動部を閉じ状態にしっかりと支持できる。
【図面の簡単な説明】
【００２０】
【図１】下段の予備苗収容装置が第２状態にある乗用型田植機の全体を示す左側面図である。
【図２】下段の予備苗収容装置が第１状態にある乗用型田植機の全体を示す左側面図である。
【図３】下段の予備苗収容装置が第２状態にある乗用型田植機の全体を示す平面図である。
【図４】走行車体の前面図である。
【図５】第２状態の左下段の予備苗収容装置の後部を示す左側面図である。
【図６】後ガードを示す正面図である。
【図７】後ガードを示す斜視図である。
【図８】苗載台の上端側部分を示す斜視図である。
【図９】仕切りプレートを示す縦断面図である。
【図１０】第２の実施構造を備えた手摺りを示す左側面図である。
【図１１】第３の実施構造を備えた手摺りを示す左側面図である。
【図１２】第１の別実施構造を備えた後ガードを示す左側面図である。
【図１３】第２の別実施構造を備えた後ガードを示す正面図である。
【図１４】第３の別実施構造を備えた後ガードを示す正面図である。
【発明を実施するための形態】
【００２１】
以下、図面に基づいて、本発明に係る乗用型田植機の実施の形態を説明する。
〔実施例１〕
図１は、下段の予備苗収容装置５０が第２状態にある乗用型田植機の全体を示す左側面図である。図３は、下段の予備苗収容装置５０が第２状態にある乗用型田植機の全体を示す平面図である。図１，３に示す［Ｆ］の方向が走行車体４の［前側］、［Ｂ］の方向が走行車体４の［後側］、［Ｌ］の方向が走行車体４の［左側］、［Ｒ］の方向が走行車体４の［右側］と定義する。
【００２２】
図１，３に示すように、車体フレーム１の下部に左右一対の前車輪２及び左右一対の後車輪３が装備された走行車体４を備えている。走行車体４の前部に、エンジン５を有した原動部６が設けられている。走行車体４は、エンジン５からミッション７に伝達される駆動力によって前車輪２が駆動され、エンジン５からミッション７及び回転軸８を介して後輪駆動ケース９に伝達される駆動力よって後車輪３が駆動されることによって自走する。
走行車体４の後部に、運転座席１０を有した搭乗型の運転部１１が設けられている。走行車体４は、運転部１１に搭乗して操縦するように、乗用型に構成されている。
【００２３】
走行車体４の後部にリンク機構１２を介して苗植付装置２０が連結されている。リンク機構１２は、車体フレーム１に上下揺動可能に支持されている。苗植付装置２０は、リンク機構１２が油圧シリンダ１３によって揺動操作されることにより、接地フロート２１が圃場面Ｓに接地した状態の下降作業状態と、接地フロート２１が圃場面Ｓから高く上昇した上昇非作業状態とに亘って昇降操作される。
【００２４】
図１，３に示すように、苗植付装置２０は、走行車体４の横幅方向に並ぶ８つの苗植付機構２２と、１つの苗載台２３とを備えている。苗載台２３には、図３に示すように、マット状苗を走行車体４の横幅方向に並べて載置する８つの苗載置部２３ａが備えられている。苗載台２３は、苗植付機構２２の苗植え運動に連動する状態で走行車体４の横幅方向に往復移送され、各苗植付機構２２に苗載置部２３ａから苗供給する。
【００２５】
乗用型田植機は、苗植付装置２０を下降作業状態に下降させた状態で走行車体４を走行させることにより、苗植付装置２０によって８条植えが可能な苗植え作業を行なう。
【００２６】
図１，３に示すように、走行車体４の前部に受信装置１４が装備されている。受信装置１４の支持フレーム１５は、図１，３，４に示すように、後述する左右の予備苗収容装置４０，５０の支柱４１に連結されている。受信装置１４は、衛星測位システムにより走行車体４の位置情報を取得し、取得した位置情報を走行車体４の自動操向制御装置（図示せず）に入力させるものである。
【００２７】
図８，９に示すように、苗載台２３の各苗載置部２３ａから延長苗載置台２４が延出されている。苗載台２３の両横端部に左右一対の仕切りプレート２５が立設されている。苗載台２３の両横端部における左右の仕切りプレート２５は、苗載台２３の最も横端の苗載置部２３ａと、この苗載置部２３ａに対応する延長苗載置台２４とに亘って設けられている。左右の仕切りプレート２５は、苗載置部２３ａの横側に位置する仕切壁部２３ｂから苗載台２３の上方に向けて延出し、かつ、仕切壁部２３ｂから延長苗載置台２４の上方に向けて延出している。
【００２８】
苗載台２３の横端の苗載置部２３ａにマット状苗を補給するとき、苗載台２３が横移送中であっても、マット状苗を左右の仕切りプレート２５によって苗載置部２３ａへ適確に案内させつつ補給することができる。つまり、苗載台２３の横移送のためにマット状苗を横端の苗載置部２３ａから横外側へ外れて補給することを回避できる。本実施例では、仕切りプレート２５を横端の苗載置部２３ａだけに設けているが、全ての苗載置部２３ａに設けてもよい。
【００２９】
図１，３に示すように、走行車体４のうち、運転座席１０の両横側方と、運転座席１０の後方とに亘る部位に、作業ステップ１６が設けられている。運転部１１の両横側方に手摺り３０が設けられている。左横及び右横の手摺り３０は、走行車体４の車体部分としての乗降ステップフレームと、走行車体４の車体部分としての作業ステップフレームとから上方向きに立設されている。左横及び右横の手摺り３０の上端部３１は、運転部１１の乗降口１１ａの後側の部位であって、作業ステップ１６の横縁部の上方に位置する部位に位置している。図１，３，６，７に示すように、運転座席１０の後方に、走行車体４の横方向に延びる後ガード１７が設けられている。後ガード１７は、作業ステップ１６の後縁部の上方に配置されている。後ガード１７は、左横の手摺り３０と右横の手摺り３０とに亘って連結されている。左横及び右横の手摺り３０は、運転部１１に乗ったり、運転部１１から降りたりするときに、また、作業ステップ１６に位置するときに使用できる。後ガード１７は、作業ステップ１６に位置するとき、手摺りとして使用できる。本実施例では、施肥装置の肥料タンク及び肥料繰出機構が運転座席１０の後方に設けられていないが、肥料タンク及び肥料繰出機構を設けて実施してもよい。
【００３０】
図１，７に示すように、左横及び右横の手摺り３０の上端部３１の下方に空きスペースＡが設けられている。空きスペースＡは、手摺り３０を曲げ成形された管部材によって構成することによって設けられている。
【００３１】
図１，３，４に示すように、走行車体４の両横側部に上下二段の予備苗収容装置４０，５０が設けられている。左の上下二段の予備苗収容装置４０，５０は、左横の手摺り３０の前方に設けられている。右の上下二段の予備苗収容装置４０，５０は、右横の手摺り３０の前方に設けられている。
【００３２】
左上段の予備苗収容装置４０には、図１，４に示すように、上下４段の予備苗載置台４２が備えられている。４段の予備苗載置台４２は、前後一対の支柱４１に支持されている。前の支柱４１は、走行車体４のうちのエンジン支持フレームから上方向きに立設されている。後の支柱４１は、走行車体４のうちの乗降ステップフレームから上方向きに立設されている。
【００３３】
右上段の予備苗収容装置４０は、左上段の予備苗収容装置４０と同じ構成を備えている。左上段の予備苗収容装置４０及び右上段の予備苗収容装置４０には、苗植付装置２０に供給する予備の４枚のマット状苗を走行車体４の上下方向に並べて収容することができる。
【００３４】
左下段の予備苗収容装置５０には、図１，２，３に示すように、３つの予備苗載置台５１，５２，５３が備えられている。３つの予備苗載置台５１，５２，５３は、載置台フレーム５１ａ，５２ａ，５３ａと、予備苗載置台本体５１ｂ，５２ｂ，５３ｂと、を備えている。予備苗載置台本体５１ｂ，５２ｂ，５３ｂは、載置台フレーム５１ａ，５１ｂ，５３ｂに固定状態で支持されている。３つの予備苗載置台５１，５２，５３のうちの２つの予備苗載置台５２，５３には、延長載置台５２ｃ，５３ｃが備えられている。延長載置台５２ｃ，５３ｃは、予備苗載置台本体５２ｂ，５３ｂと載置台フレーム５２ａ，５３ａとにスライド操作可能に支持されている。
【００３５】
３つの予備苗載置台５１，５２，５３のうちの予備苗載置台５１は、載置台フレーム５１ａが前後の支柱４１に固定されていることにより、苗載置面が上向きの状態で、前後の支柱４１に固定されている。以下、この予備苗載置台５１を固定予備苗載置台５１と呼称する。
【００３６】
３つの予備苗載置台５１，５２，５３のうちの予備苗載置台５２では、載置台フレーム５２ａの一端部が固定予備苗載置台５１の載置台フレーム５１ａの前端側に連結軸５４を介して回転可能に支持されている。この予備苗載置台５２は、連結軸５４の走行車体横方向に延びる軸芯５４ａを揺動中心として固定予備苗載置台５１に対して揺動操作できる。
以下、この予備苗載置台５２を前の可動予備苗載置台５２と呼称する。前の可動予備苗載置台５２を揺動操作することにより、前の可動予備苗載置台５２の取付姿勢を、図２，４に示す如く固定予備苗載置台５１の苗載置面側の上に折り重なると共に前の可動予備苗載置台５２の苗載置面が下向きになる格納姿勢と、図１，３に示す如く固定予備苗載置台５１から走行車体前方側に張り出ると共に苗載置面が上向きになる使用姿勢とに切り換えることができる。
【００３７】
３つの予備苗載置台５１，５２，５３のうちの予備苗載置台５３では、載置台フレーム５３ａのうちの延長載置台５３ｃが位置する側と反対側の端部が固定予備苗載置台５１の載置台フレーム５１ａの後端側に連結軸５５を介して回転可能に支持されている。この予備苗載置台５３は、連結軸５５の走行車体横方向に延びる軸芯５５ａを揺動中心として固定予備苗載置台５１に対して揺動操作できる。以下、この予備苗載置台５３を後の可動予備苗載置台５３と呼称する。後の可動予備苗載置台５３を揺動操作することにより、後の可動予備苗載置台５３の取付姿勢を、図２，４に示す如く固定予備苗載置台５１の上に折り重なっている前の可動予備苗載置台５２の上に折り重なると共に後の可動予備苗載置台５３の苗載置面が下向きになる格納姿勢と、図１，３に示す如く固定予備苗載置台５１から走行車体後方側に張り出ると共に後の可動予備苗載置台５３の苗載置面が上向きになる使用姿勢とに切り換えることができる。
【００３８】
後の可動予備苗載置台５３の使用姿勢において、延長載置台５３ｃをスライド操作することにより、延長載置台６３ｃの取付姿勢を、図１，３に示す如く後の可動予備苗載置台５３から後方に、後の可動予備苗載置台５３の前後方向に沿う状態で張り出た使用姿勢と、後の可動予備苗載置台５３の内方側に格納された格納姿勢とに切り換え操作できる。
【００３９】
左下段の予備苗収容装置５０は、図２，４に示すように、前の可動予備苗載置台５２及び後の可動予備苗載置台５３を格納姿勢に切り換えることにより、固定予備苗載置台５１、前の可動予備苗載置台５２及び後の可動予備苗載置台５３が走行車体４の上下方向に並んで格納された第１状態になる。
【００４０】
左下段の予備苗収容装置５０は、図１，３に示すように、前の可動予備苗載置台５２及び後の可動予備苗載置台５３を使用姿勢に切り換えることにより、固定予備苗載置台５１、前の可動予備苗載置台５２及び後の可動予備苗載置台５３が走行車体４の前後方向に並び、固定予備苗載置台５１、前の可動予備苗載置台５２及び後の可動予備苗載置台５３にマット状苗を載置できる第２状態になる。
【００４１】
右下段の予備苗収容装置５０は、図３，４に示すように、左下段の予備苗収容装置５０と同じ構成を備えている。左下段の予備苗収容装置５０及び右下段の予備苗収容装置５０を第２状態に切換えることにより、左下段の予備苗収容装置５０及び右下段の予備苗収容装置５０に、苗植付装置２０に供給する予備の３枚のマット状苗を走行車体４の前後方向に並べて収容することができる。
【００４２】
左下段の予備苗収容装置５０及び右下段の予備苗収容装置５０において、図１，３，５に示すように、予備苗収容装置５０を第２状態に切換えた場合、延長載置台５３ｃを使用姿勢にすることで、延長載置台５３ｃと、後の可動予備苗載置台５３の予備苗載置台本体５１ｂの後部とによって、後の可動予備苗載置台５３（後から１番目の予備苗載置台）の後端側部５３ｒが形成され、この後端側部５３ｒが空きスペースＡに入り込み、平面視で、後端側部５３ｒと上端部３１とが重複する。また、後端側部５３ｒが乗降口１１ａに入り込む。後端側部５３ｒを閉じ部材に活用して乗降口１１ａを閉じることができる。
【００４３】
左上段の予備苗収容装置４０及び右上段の予備苗収容装置４０において、図１，４に示すように、上下４段の予備苗載置台４２の走行車体横内側の端部が前後の支柱４１に連結軸（図示せず）を介して回転可能に連結されている。上下４段の予備苗載置台４２は、連結軸の走行車体前後方向に延びる軸芯Ｙを揺動中心として、図４に示す右上段の予備苗載置台４２の如く下降した状態の下降使用姿勢と、図４に示す左上段の予備苗載置台４２の如く上昇した状態の上昇格納姿勢とに亘って揺動操作可能に支持されている。前後の支柱４１は、上段の予備苗収容装置４０を支持する上部が下段の予備苗収容装置５０を支持する下部よりも走行車体横内側に位置する曲がり状態に成形されている。つまり、前の可動予備苗載置台５２及び後の可動予備苗載置台５３を格納姿勢と使用姿勢とに亘って揺動操作するとき、予備苗載置台４２を上昇格納姿勢に切り換えることにより、前の可動予備苗載置台５２及び後の可動予備苗載置台５３が当たらないように、前の可動予備苗載置台５２及び後の可動予備苗載置台５３の移動経路から走行車体横内側に退避させることができる。
【００４４】
〔実施例２〕
図１０は、第２の実施構造を備えた乗用型田植機の手摺り３０が配設された部位を示す左側面図である。第２の実施構造を備えた乗用型田植機では、手摺り３０の上端部３１は、固定部３１ａと可動部３１ｂとを備えている。
【００４５】
固定部３１ａは、走行車体４の車体部分に固定されている。固定部３１ａの後部に支持部３２が備えられている。可動部３１ｂの後端部が連結軸３３を介して支持部３２に回転可能に連結されている。可動部３１ｂは、連結軸３３の走行車体横方向に延びる軸芯３３ａを揺動中心として、図１０に実線で示す如く固定部３１ａから前方に延出した下降使用状態と、図１０に二点鎖線で示す如く固定部３１ａの後部に格納された上昇格納状態とに揺動操作可能に支持されている。
【００４６】
可動部３１ｂは、下降使用状態にすると、前端側部３１ｆが乗降口１１ａに入り込み、前端側部３１ｆで乗降口１１ａを閉じる閉じ状態になる。可動部３１ｂは、下降使用状態にすると、可動部３１ｂのうちの前端側部３１ｆが固定部３１ａから前方に突出した状態になり、前端側部３１ｆの下方に空きスペースＡが形成される。可動部３１ｂを下降使用状態にした場合、可動部３１ｂの連結軸３３よりも遊端側に位置する部分が支持部３４によって受け止め支持され、可動部３１ｂを下降使用状態に保持できる。可動部３１ｂは、上昇格納状態にすると、乗降口１１ａの後側に位置し、乗降口１１ａを開ける開き状態になる。
【００４７】
可動部３１ｂを上昇格納状態に切り換えることにより、可動部３１ｂによる乗降口１１ａの閉じを解除し、固定部３１ａを手摺として使用しつつ運転部１１に乗ったり、運転部１１から降りたりすることができる。運転部１１に乗ったり、運転部１１から降りたりするとき以外には、可動部３１ｂを下降使用状態に切換えることにより、可動部３１ｂを閉じ部材に活用して乗降口１１ａを閉じることができる。
【００４８】
〔実施例３〕
図１１は、第３の実施構造を備えた乗用型田植機の手摺り３０が配設された部位を示す左側面図である。第３の実施構造を備えた乗用型田植機では、手摺り３０の上端部３１は、固定部３１ａと可動部３１ｂとを備えている。
【００４９】
予備苗収容装置５０の後側の支柱４１に支持部３４が備えられている。可動部３１ｂを開き状態に切換えた場合、可動部３１ｂの前端側部３１ｆが支持部３４に受け止め支持されることで、後側の支柱４１に受け止め支持される。
【００５０】
〔別実施形態〕
（１）図１２は、第１の別実施構造を備えた後ガード１７を示す左側面図である。図１２に示すように、第１の別実施構造を備えた後ガード１７は、左横の手摺り３０及び右横の手摺り３０の前後の脚部３１ｃのうちの前側の脚部３１ｃに支持されている。
【００５１】
（２）図１３は、第２の別実施構造を備えた後ガード１７を示す正面図である。図１３に示すように、第２の別実施構造を備えた後ガード１７は、後手摺りを兼ねる上段の後ガード１７ｕと、中段の後ガード１７ｎと、下段の後ガード１７ｄとを備えている。
【００５２】
（３）図１４は、第３の別実施構造を備えた後ガード１７を示す正面図である。図１４に示すように、第３の別実施構造を備えた後ガード１７は、後手摺りを兼ねる上段の後ガード１７ｕと、下段の後ガード１７ｄと、左右一対のサイドガードプレート１８とを備えている。左右のサイドガードプレート１８は、運転座席１０の両横側の後方に位置する箇所で上段の後ガード１７ｕと下段の後ガード１７ｄとに連結されている。
【００５３】
（４）上記した実施例では、予備苗収容装置５０に３枚の予備苗載置台５１，５２，５３を設けた例を示ししたが、３枚に限らず、２枚あるいは４枚以上の予備苗載置台を設けて実施してもよい。
【００５４】
（５）上記した実施例では、前の可動予備苗載置台５２及び後の可動予備苗載置台５３を揺動によって格納姿勢と使用姿勢とに切り換わる例を示したが、この構成に限らず、前の可動予備苗載置台５２及び後の可動予備苗載置台５３を固定予備苗載置台５１と支柱４１とに付け替えることにより、予備苗載置台５１，５２，５３が車体上下方向に並ぶ状態と車体前後方向に並ぶ状態とに切り換える構成を採用してもよい。また、支柱４１に揺動可能に支持されるリンク機構によって複数枚の予備苗載置台を支持し、リンク機構の揺動操作によって複数枚の予備苗載置台が車体上下方向に並ぶ状態と車体前後方向に並ぶ状態とに切り換わる構成を採用してもよい。
【００５５】
（６）上記した実施例では、予備苗載置台５１，５２，５３が格納される状態を予備苗収容装置５０の第１状態とした例を示したが、複数枚の予備苗載置台が予備苗の載置収容が可能な状態で走行車体の上下方向に並ぶ状態を予備苗収容装置５０の第１状態となるよう構成して実施してもよい。
【００５６】
（７）上記した実施例では、後の可動予備苗載置台５３に延長載置台５３ｃが備えられた例を示したが、延長載置台５３ｃを備えず、後の可動予備苗載置台５３の予備苗載置台本体５１ｂの後端側部が空きスペースＡに入り込むよう構成してもよい。
【００５７】
（８）上記した実施例では、上段の予備苗収容装置４０を設けた例を示したが、上段の予備苗収容装置４０を設けず、第１状態と第２状態とに切り換え可能な予備苗収容装置５０だけを設けて実施してもよい。
【産業上の利用可能性】
【００５８】
本発明は、８条植えが可能な苗植付装置２０が連結された乗用型田植機に限らず、４条、６条など８条よりも少ない条数の苗植付を行なう苗植付装置、あるいは、８条よりも多い条数の植付が可能な苗植付装置が連結された乗用型田植機に適用できる。また、運転座席１０の後方に設けた肥料タンク及び肥料繰出し装置を有した施肥装置が装備された乗用型田植機に適用できる。
【符号の説明】
【００５９】
１１        運転部
１１ａ      乗降口
２０        苗植付装置
３０      手摺り
３１      上端部
３１ａ    固定部
３１ｂ    可動部
３１ｆ    前端側部
５０      予備苗収容装置
５１      予備苗載置台
５２      予備苗載置台
５３      予備苗載置台
５３ｂ    予備苗載置台本体
５３ｃ    延長載置台
５３ｒ    後端側部
【図１】
2019150074.tif 000003
【図２】
2019150074.tif 000004
【図３】
2019150074.tif 000005
【図４】
2019150074.tif 000006
【図５】
2019150074.tif 000007
【図６】
2019150074.tif 000008
【図７】
2019150074.tif 000009
【図８】
2019150074.tif 000010
【図９】
2019150074.tif 000011
【図１０】
2019150074.tif 000012
【図１１】
2019150074.tif 000013
【図１２】
2019150074.tif 000014
【図１３】
2019150074.tif 000015
【図１４】
2019150074.tif 000016